【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
各店舗において店舗会員として会員登録した会員に対して発行された記録媒体の記録情報から特定され、当該会員を個々に識別可能な会員識別情報に対応付けて、該会員が所有するポイント数を管理するポイント管理手段を有するポイント管理装置を備えるポイント管理システムであって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置され、前記記録媒体を受け付けて、該受け付けた記録媒体に記録されている前記第１会員特定情報を読み取る記録媒体受付手段と、該記録媒体受付手段により読み取った第１会員特定情報を含む第１登録要求を前記ポイント管理装置に対して送信する第１登録要求送信手段と、を有する店舗端末をさらに備え、
前記ポイント管理装置は、
前記店舗端末から送信されてくる前記第１登録要求を受信したことに基づいて、該受信した第１登録要求に含まれる第１会員特定情報から特定される会員識別情報を前記ポイント管理手段に登録すると共に、前記会員が所持する情報端末において当該会員が前記第２会員特定情報を入力して登録操作を行うことにより該情報端末から送信されてくる、該入力された第２会員特定情報を含む第２登録要求を受信したことに基づいて、該受信した第２登録要求に含まれる第２会員特定情報から特定される会員識別情報を前記ポイント管理手段に登録する登録手段と、
前記店舗端末又は前記情報端末から前記店舗を特定可能な店舗特定情報を含む店舗情報要求を受信したことに基づいて、該受信した店舗情報要求に含まれる店舗特定情報から特定される店舗に関する店舗情報を前記店舗端末又は前記情報端末に対して提供する店舗情報提供手段と、
複数の店舗が属するグループを設定するグループ設定手段と、
当該ポイント管理装置に登録された店舗を個々に識別可能な店舗識別情報を管理すると共に、該店舗が前記グループに属するときには、該グループを個々に識別可能なグループ識別情報を対応付けて管理する店舗管理手段と、
前記店舗端末又は前記情報端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定するグループ識別情報判定手段と、
該グループ識別情報判定手段により前記グループ識別情報が対応付けられていると判定されたことを条件として、前記店舗管理手段において当該グループ識別情報に対応付けられている他の店舗識別情報の店舗を認識可能なグループ店情報を前記店舗端末又は前記情報端末に対して提供するグループ店情報提供手段と、をさらに有することを特徴とするポイント管理システム。
【請求項２】
請求項１に記載したポイント管理システムであって、
前記店舗端末は、前記会員から前記記録媒体を受け付けて前記記録媒体受付手段により読み取った第１会員特定情報から特定される会員識別情報に対応付けて前記ポイント管理手段により管理されているポイント数を、当該会員に対して表示するためのポイント表示手段をさらに有することを特徴とするポイント管理システム。
【請求項３】
請求項１又は２に記載したポイント管理システムであって、
前記ポイント管理装置は、
前記第２登録要求に伴って、前記登録操作を行う会員の電子メールアドレスを前記情報端末から取得する電子メールアドレス取得手段と、
該電子メールアドレス取得手段により取得した電子メールアドレスを、前記受信した第２登録要求に含まれる第２会員特定情報から特定される会員識別情報に対応付けて管理する会員管理手段と、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理システム。
【請求項４】
請求項３に記載したポイント管理システムであって、
前記ポイント管理装置は、前記店舗端末から前記確認要求を受信したことに基づいて、該受信した確認要求に含まれる第１会員特定情報から特定される会員識別情報に対応付けて前記会員管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理システム。
【請求項５】
請求項１〜４のいずれか１つに記載したポイント管理システムであって、
前記ポイント管理装置は、前記店舗端末又は前記情報端末から、前記店舗情報要求として、前記会員の電子メールアドレスと、前記店舗特定情報として店舗を特定可能な前記第１会員特定情報又は前記第２会員特定情報とを受信したことに基づいて、該受信した電子メールアドレスと、該受信した第１会員特定情報又は第２会員特定情報から特定される会員識別情報とを対応付けて管理する会員管理手段をさらに有し、
前記グループ店情報提供手段は、前記グループ識別情報判定手段により前記グループ識別情報が対応付けられていると判定されたことを条件として、当該グループ識別情報に対応付けられている他の店舗識別情報の店舗の店舗情報の提供を希望するか否かを確認する確認情報を前記グループ店情報として前記店舗端末又は前記情報端末に対して提供し、
前記会員管理手段は、該店舗端末又は情報端末から、前記店舗情報の提供を希望する店舗を特定可能な情報を含む返信情報を受信したことに基づいて、該受信した返信情報から特定される店舗の店舗識別情報を前記会員識別情報に対応付けて管理し、
前記店舗情報提供手段は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理システム。
【請求項６】
請求項１〜５のいずれか１つに記載したポイント管理システムであって、
前記店舗管理手段は、前記店舗識別情報に対応付けて、当該店舗識別情報の店舗の所在地が属する地域を個々に識別可能な地域識別情報を管理し、
前記グループ店情報提供手段は、前記店舗管理手段において前記受信した店舗情報要求に含まれる店舗特定情報から特定される店舗の店舗識別情報に対応付けて管理している地域識別情報と同一の地域識別情報に対応付けられている他の店舗識別情報の店舗を認識可能な前記グループ店情報を前記店舗端末又は前記情報端末に対して提供することを特徴とするポイント管理システム。
【請求項７】
請求項１〜６のいずれか１つに記載したポイント管理システムであって、
前記店舗管理手段は、前記店舗識別情報に対応付けて、当該店舗識別情報の店舗の所在地を特定可能な情報を管理し、
前記グループ店情報提供手段は、前記店舗管理手段において前記グループ識別情報に対応付けられている他の店舗識別情報の店舗を、前記受信した店舗情報要求に含まれる店舗特定情報から特定される店舗の所在地から近い場所に所在する順で認識可能な前記グループ店情報を前記店舗端末又は前記情報端末に対して提供することを特徴とするポイント管理システム。
【請求項８】
各店舗において店舗会員として会員登録した会員に対して発行された記録媒体の記録情報から特定され、当該会員を個々に識別可能な会員識別情報に対応付けて、該会員が所有するポイント数を管理するポイント管理手段を有するポイント管理装置であって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置される店舗端末において前記会員が前記記録媒体の受付を行うことにより該店舗端末から送信されてくる、該受け付けた記録媒体から読み取った第１会員特定情報を含む第１登録要求を受信したことに基づいて、該受信した第１登録要求に含まれる第１会員特定情報から特定される会員識別情報を前記ポイント管理手段に登録すると共に、前記会員が所持する情報端末において当該会員が前記第２会員特定情報を入力して登録操作を行うことにより該情報端末から送信されてくる、該入力された第２会員特定情報を含む第２登録要求を受信したことに基づいて、該受信した第２登録要求に含まれる第２会員特定情報から特定される会員識別情報を前記ポイント管理手段に登録する登録手段と、
前記店舗端末又は前記情報端末から前記店舗を特定可能な店舗特定情報を含む店舗情報要求を受信したことに基づいて、該受信した店舗情報要求に含まれる店舗特定情報から特定される店舗に関する店舗情報を前記店舗端末又は前記情報端末に対して提供する店舗情報提供手段と、
複数の店舗が属するグループを設定するグループ設定手段と、
当該ポイント管理装置に登録された店舗を個々に識別可能な店舗識別情報を管理すると共に、該店舗が前記グループに属するときには、該グループを個々に識別可能なグループ識別情報を対応付けて管理する店舗管理手段と、
前記店舗端末又は前記情報端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定するグループ識別情報判定手段と、
該グループ識別情報判定手段により前記グループ識別情報が対応付けられていると判定されたことを条件として、前記店舗管理手段において当該グループ識別情報に対応付けられている他の店舗識別情報の店舗を認識可能なグループ店情報を前記店舗端末又は前記情報端末に対して提供するグループ店情報提供手段と、をさらに有することを特徴とするポイント管理装置。
【請求項９】
請求項８に記載したポイント管理装置であって、
前記第２登録要求に伴って、前記登録操作を行う会員の電子メールアドレスを前記情報端末から取得する電子メールアドレス取得手段と、
該電子メールアドレス取得手段により取得した電子メールアドレスを、前記受信した第２登録要求に含まれる第２会員特定情報から特定される会員識別情報に対応付けて管理する会員管理手段と、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理装置。
【請求項１０】
請求項９に記載したポイント管理装置であって、
前記店舗端末から前記確認要求を受信したことに基づいて、該受信した確認要求に含まれる第１会員特定情報から特定される会員識別情報に対応付けて前記会員管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理装置。
【請求項１１】
請求項８〜１０のいずれか１つに記載したポイント管理装置であって、
前記店舗端末又は前記情報端末から、前記店舗情報要求として、前記会員の電子メールアドレスと、前記店舗特定情報として店舗を特定可能な前記第１会員特定情報又は前記第２会員特定情報とを受信したことに基づいて、該受信した電子メールアドレスと、該受信した第１会員特定情報又は第２会員特定情報から特定される会員識別情報とを対応付けて管理する会員管理手段をさらに有し、
前記グループ店情報提供手段は、前記グループ識別情報判定手段により前記グループ識別情報が対応付けられていると判定されたことを条件として、当該グループ識別情報に対応付けられている他の店舗識別情報の店舗の店舗情報の提供を希望するか否かを確認する確認情報を前記グループ店情報として前記店舗端末又は前記情報端末に対して提供し、
前記会員管理手段は、該店舗端末又は情報端末から、前記店舗情報の提供を希望する店舗を特定可能な情報を含む返信情報を受信したことに基づいて、該受信した返信情報から特定される店舗の店舗識別情報を前記会員識別情報に対応付けて管理し、
前記店舗情報提供手段は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理装置。
【請求項１２】
請求項８〜１１のいずれか１つに記載したポイント管理装置であって、
前記店舗管理手段は、前記店舗識別情報に対応付けて、当該店舗識別情報の店舗の所在地が属する地域を個々に識別可能な地域識別情報を管理し、
前記グループ店情報提供手段は、前記店舗管理手段において前記受信した店舗情報要求に含まれる店舗特定情報から特定される店舗の店舗識別情報に対応付けて管理している地域識別情報と同一の地域識別情報に対応付けられている他の店舗識別情報の店舗を認識可能な前記グループ店情報を前記店舗端末又は前記情報端末に対して提供することを特徴とするポイント管理装置。
【請求項１３】
請求項８〜１２のいずれか１つに記載したポイント管理装置であって、
前記店舗管理手段は、前記店舗識別情報に対応付けて、当該店舗識別情報の店舗の所在地を特定可能な情報を管理し、
前記グループ店情報提供手段は、前記店舗管理手段において前記グループ識別情報に対応付けられている他の店舗識別情報の店舗を、前記受信した店舗情報要求に含まれる店舗特定情報から特定される店舗の所在地から近い場所に所在する順で認識可能な前記グループ店情報を前記店舗端末又は前記情報端末に対して提供することを特徴とするポイント管理装置。
【手続補正２】
【補正対象書類名】明細書
【補正対象項目名】０００７
【補正方法】変更
【補正の内容】
【０００７】
まず請求項１に係る発明は、各店舗（遊技場）において店舗会員として会員登録した会員に対して発行された記録媒体（会員カード）の記録情報から特定され、当該会員を個々に識別可能な会員識別情報（会員カードＩＤ）に対応付けて、該会員が所有するポイント数を管理するポイント管理手段（ポイント会員情報ＤＢ）を有するポイント管理装置（５０）を備えるポイント管理システム（１）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ，会員ＩＤ）が目視可能に記録され、各店舗に設置され、前記記録媒体を受け付けて、該受け付けた記録媒体に記録されている前記第１会員特定情報を読み取る記録媒体受付手段（カードＲ／Ｗ２５，カードリーダ３３）と、該記録媒体受付手段により読み取った第１会員特定情報を含む第１登録要求を前記ポイント管理装置に対して送信する第１登録要求送信手段（ユニット制御部２２，制御部３２）と、を有する店舗端末（カードユニット２０，キオスク端末３０）をさらに備え、前記ポイント管理装置は、前記店舗端末から送信されてくる前記第１登録要求を受信したことに基づいて、該受信した第１登録要求に含まれる第１会員特定情報から特定される会員識別情報を前記ポイント管理手段に登録すると共に、前記会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求を受信したことに基づいて、該受信した第２登録要求に含まれる第２会員特定情報から特定される会員識別情報を前記ポイント管理手段に登録する登録手段（制御部５２）と、前記店舗端末又は前記情報端末から前記店舗を特定可能な店舗特定情報（会員カードＩＤ）を含む店舗情報要求（登録要求Ａ）を受信したことに基づいて、該受信した店舗情報要求に含まれる店舗特定情報から特定される店舗に関する店舗情報（イベント情報）を前記店舗端末又は前記情報端末に対して提供する店舗情報提供手段（制御部５２）と、複数の店舗が属するグループを設定するグループ設定手段（ディスプレイ５４及び入力装置５５）と、当該ポイント管理装置に登録された店舗を個々に識別可能な店舗識別情報（店舗ＩＤ）を管理すると共に、該店舗が前記グループに属するときには、該グループを個々に識別可能なグループ識別情報（グループ名）を対応付けて管理する店舗管理手段（グループＤＢ，店舗ＤＢ）と、前記店舗端末又は前記情報端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定するグループ識別情報判定手段（制御部５２）と、該グループ識別情報判定手段により前記グループ識別情報が対応付けられていると判定されたことを条件として、前記店舗管理手段において当該グループ識別情報に対応付けられている他の店舗識別情報の店舗を認識可能なグループ店情報を前記店舗端末又は前記情報端末に対して提供するグループ店情報提供手段（制御部５２）と、をさらに有することを特徴とするポイント管理システムである。
また請求項２に係る発明は、請求項１に記載したポイント管理システム（１）であって、前記店舗端末（カードユニット２０，キオスク端末３０）は、前記会員から前記記録媒体（会員カード）を受け付けて前記記録媒体受付手段（カードＲ／Ｗ２５，カードリーダ３３）により読み取った第１会員特定情報から特定される会員識別情報（会員カードＩＤ）に対応付けて前記ポイント管理手段（ポイント会員情報ＤＢ）により管理されているポイント数を、当該会員に対して表示するためのポイント表示手段（ディスプレイ２７，３４）をさらに有することを特徴とするポイント管理システムである。
【手続補正３】
【補正対象書類名】明細書
【補正対象項目名】０００８
【補正方法】変更
【補正の内容】
【０００８】
また請求項３に係る発明は、請求項１又は２に記載したポイント管理システム（１）であって、前記ポイント管理装置（５０）は、前記第２登録要求に伴って、前記登録操作を行う会員の電子メールアドレスを前記情報端末（ＰＣ６，携帯電話７）から取得する電子メールアドレス取得手段（制御部５２）と、該電子メールアドレス取得手段により取得した電子メールアドレスを、前記受信した第２登録要求に含まれる第２会員特定情報から特定される会員識別情報（会員カードＩＤ）に対応付けて管理する会員管理手段（ポイント会員情報ＤＢ）と、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報を含む確認要求（ログイン要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理システムである。
【手続補正４】
【補正対象書類名】明細書
【補正対象項目名】０００９
【補正方法】変更
【補正の内容】
【０００９】
また請求項４に係る発明は、請求項３に記載したポイント管理システム（１）であって、前記ポイント管理装置（５０）は、前記店舗端末（カードユニット２０，キオスク端末３０）から前記確認要求（ログイン要求）を受信したことに基づいて、該受信した確認要求に含まれる第１会員特定情報から特定される会員識別情報（会員カードＩＤ）に対応付けて前記会員管理手段（ポイント会員情報ＤＢ）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末に対して返信しないことを特徴とするポイント管理システムである。
【手続補正５】
【補正対象書類名】明細書
【補正対象項目名】００１０
【補正方法】変更
【補正の内容】
【００１０】
また請求項５に係る発明は、請求項１〜４のいずれか１つに記載したポイント管理システム（１）であって、前記ポイント管理装置（５０）は、前記店舗端末（カードユニット２０，キオスク端末３０）又は前記情報端末（ＰＣ６，携帯電話７）から、前記店舗情報要求（登録要求Ａ及びＢ）として、前記会員の電子メールアドレスと、前記店舗特定情報として店舗を特定可能な前記第１会員特定情報又は前記第２会員特定情報とを受信したことに基づいて、該受信した電子メールアドレスと、該受信した第１会員特定情報又は第２会員特定情報から特定される会員識別情報（会員カードＩＤ）とを対応付けて管理する会員管理手段（ポイント会員情報ＤＢ）をさらに有し、前記グループ店情報提供手段（制御部５２）は、前記グループ識別情報判定手段（制御部５２）により前記グループ識別情報（グループ名）が対応付けられていると判定されたことを条件として、当該グループ識別情報に対応付けられている他の店舗識別情報の店舗の店舗情報（イベント情報）の提供を希望するか否かを確認する確認情報を前記グループ店情報として前記店舗端末又は前記情報端末に対して提供し、前記会員管理手段は、該店舗端末又は情報端末から、前記店舗情報の提供を希望する店舗を特定可能な情報を含む返信情報（登録要求Ｂ）を受信したことに基づいて、該受信した返信情報から特定される店舗の店舗識別情報を前記会員識別情報に対応付けて管理し、前記店舗情報提供手段（制御部５２）は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理システムである。
【手続補正６】
【補正対象書類名】明細書
【補正対象項目名】００１１
【補正方法】変更
【補正の内容】
【００１１】
また請求項６に係る発明は、請求項１〜５のいずれか１つに記載したポイント管理システム（１）であって、前記店舗管理手段（グループＤＢ，店舗ＤＢ）は、前記店舗識別情報（店舗ＩＤ）に対応付けて、当該店舗識別情報の店舗の所在地が属する地域を個々に識別可能な地域識別情報（地域名）を管理し、前記グループ店情報提供手段（制御部５２）は、前記店舗管理手段において前記受信した店舗情報要求（登録要求Ａ）に含まれる店舗特定情報（会員カードＩＤ）から特定される店舗の店舗識別情報に対応付けて管理している地域識別情報と同一の地域識別情報に対応付けられている他の店舗識別情報の店舗を認識可能な前記グループ店情報を前記店舗端末（カードユニット２０，キオスク端末３０）又は前記情報端末（ＰＣ６，携帯電話７）に対して提供することを特徴とするポイント管理システムである。
【手続補正７】
【補正対象書類名】明細書
【補正対象項目名】００１２
【補正方法】変更
【補正の内容】
【００１２】
また請求項７に係る発明は、請求項１〜６のいずれか１つに記載したポイント管理システム（１）であって、前記店舗管理手段（グループＤＢ，店舗ＤＢ）は、前記店舗識別情報（店舗ＩＤ）に対応付けて、当該店舗識別情報の店舗の所在地を特定可能な情報（郵便番号）を管理し、前記グループ店情報提供手段（制御部５２）は、前記店舗管理手段において前記グループ識別情報（グループ名）に対応付けられている他の店舗識別情報の店舗を、前記受信した店舗情報要求（登録要求Ａ）に含まれる店舗特定情報（会員カードＩＤ）から特定される店舗の所在地から近い場所に所在する順で認識可能な前記グループ店情報を前記店舗端末（カードユニット２０，キオスク端末３０）又は前記情報端末（ＰＣ６，携帯電話７）に対して提供することを特徴とするポイント管理システムである。
【手続補正８】
【補正対象書類名】明細書
【補正対象項目名】００１３
【補正方法】変更
【補正の内容】
【００１３】
また請求項８に係る発明は、各店舗（遊技場）において店舗会員として会員登録した会員に対して発行された記録媒体（会員カード）の記録情報から特定され、当該会員を個々に識別可能な会員識別情報（会員カードＩＤ）に対応付けて、該会員が所有するポイント数を管理するポイント管理手段（ポイント会員情報ＤＢ）を有するポイント管理装置（５０）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ，会員ＩＤ）が目視可能に記録され、各店舗に設置される店舗端末（カードユニット２０，キオスク端末３０）において前記会員が前記記録媒体の受付を行うことにより該店舗端末から送信されてくる、該受け付けた記録媒体から読み取った第１会員特定情報を含む第１登録要求を受信したことに基づいて、該受信した第１登録要求に含まれる第１会員特定情報から特定される会員識別情報を前記ポイント管理手段に登録すると共に、前記会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求を受信したことに基づいて、該受信した第２登録要求に含まれる第２会員特定情報から特定される会員識別情報を前記ポイント管理手段に登録する登録手段（制御部５２）と、前記店舗端末又は前記情報端末から前記店舗を特定可能な店舗特定情報（会員カードＩＤ）を含む店舗情報要求（登録要求Ａ）を受信したことに基づいて、該受信した店舗情報要求に含まれる店舗特定情報から特定される店舗に関する店舗情報（イベント情報）を前記店舗端末又は前記情報端末に対して提供する店舗情報提供手段（制御部５２）と、複数の店舗が属するグループを設定するグループ設定手段（ディスプレイ５４及び入力装置５５）と、当該ポイント管理装置に登録された店舗を個々に識別可能な店舗識別情報（店舗ＩＤ）を管理すると共に、該店舗が前記グループに属するときには、該グループを個々に識別可能なグループ識別情報（グループ名）を対応付けて管理する店舗管理手段（グループＤＢ，店舗ＤＢ）と、前記店舗端末又は前記情報端末から前記店舗情報要求を受信したことに基づいて、前記店舗管理手段において該受信した店舗情報要求に含まれる店舗特定情報から特定される店舗の店舗識別情報に前記グループ識別情報が対応付けられているか否かを判定するグループ識別情報判定手段（制御部５２）と、該グループ識別情報判定手段により前記グループ識別情報が対応付けられていると判定されたことを条件として、前記店舗管理手段において当該グループ識別情報に対応付けられている他の店舗識別情報の店舗を認識可能なグループ店情報を前記店舗端末又は前記情報端末に対して提供するグループ店情報提供手段（制御部５２）と、をさらに有することを特徴とするポイント管理装置である。
【手続補正９】
【補正対象書類名】明細書
【補正対象項目名】００１４
【補正方法】変更
【補正の内容】
【００１４】
また請求項９に係る発明は、請求項８に記載したポイント管理装置（５０）であって、前記第２登録要求に伴って、前記登録操作を行う会員の電子メールアドレスを前記情報端末（ＰＣ６，携帯電話７）から取得する電子メールアドレス取得手段（制御部５２）と、該電子メールアドレス取得手段により取得した電子メールアドレスを、前記受信した第２登録要求に含まれる第２会員特定情報から特定される会員識別情報（会員カードＩＤ）に対応付けて管理する会員管理手段（ポイント会員情報ＤＢ）と、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報を含む確認要求（ログイン要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理装置である。
【手続補正１０】
【補正対象書類名】明細書
【補正対象項目名】００１５
【補正方法】変更
【補正の内容】
【００１５】
また請求項１０に係る発明は、請求項９に記載したポイント管理装置（５０）であって、前記店舗端末（カードユニット２０，キオスク端末３０）から前記確認要求（ログイン要求）を受信したことに基づいて、該受信した確認要求に含まれる第１会員特定情報から特定される会員識別情報（会員カードＩＤ）に対応付けて前記会員管理手段（ポイント会員情報ＤＢ）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末に対して返信しないことを特徴とするポイント管理システムである。
【手続補正１１】
【補正対象書類名】明細書
【補正対象項目名】００１６
【補正方法】変更
【補正の内容】
【００１６】
また請求項１１に係る発明は、請求項８〜１０のいずれか１つに記載したポイント管理装置（５０）であって、前記店舗端末（カードユニット２０，キオスク端末３０）又は前記情報端末（ＰＣ６，携帯電話７）から、前記店舗情報要求（登録要求Ａ及びＢ）として、前記会員の電子メールアドレスと、前記店舗特定情報として店舗を特定可能な前記第１会員特定情報又は前記第２会員特定情報とを受信したことに基づいて、該受信した電子メールアドレスと、該受信した第１会員特定情報又は第２会員特定情報から特定される会員識別情報（会員カードＩＤ）とを対応付けて管理する会員管理手段（ポイント会員情報ＤＢ）をさらに有し、前記グループ店情報提供手段（制御部５２）は、前記グループ識別情報判定手段（制御部５２）により前記グループ識別情報（グループ名）が対応付けられていると判定されたことを条件として、当該グループ識別情報に対応付けられている他の店舗識別情報の店舗の店舗情報（イベント情報）の提供を希望するか否かを確認する確認情報を前記グループ店情報として前記店舗端末又は前記情報端末に対して提供し、前記会員管理手段は、該店舗端末又は情報端末から、前記店舗情報の提供を希望する店舗を特定可能な情報を含む返信情報（登録要求Ｂ）を受信したことに基づいて、該受信した返信情報から特定される店舗の店舗識別情報を前記会員識別情報に対応付けて管理し、前記店舗情報提供手段（制御部５２）は、該会員管理手段で会員識別情報に対応付けて管理している店舗識別情報の店舗の店舗情報を含む電子メールを当該会員識別情報に対応付けて管理している電子メールアドレスに対して送信することを特徴とするポイント管理装置である。
【手続補正１２】
【補正対象書類名】明細書
【補正対象項目名】００１７
【補正方法】変更
【補正の内容】
【００１７】
また請求項１２に係る発明は、請求項８〜１１のいずれか１つに記載したポイント管理装置（５０）であって、前記店舗管理手段（グループＤＢ，店舗ＤＢ）は、前記店舗識別情報（店舗ＩＤ）に対応付けて、当該店舗識別情報の店舗の所在地が属する地域を個々に識別可能な地域識別情報（地域名）を管理し、前記グループ店情報提供手段（制御部５２）は、前記店舗管理手段において前記受信した店舗情報要求（登録要求Ａ）に含まれる店舗特定情報（会員カードＩＤ）から特定される店舗の店舗識別情報に対応付けて管理している地域識別情報と同一の地域識別情報に対応付けられている他の店舗識別情報の店舗を認識可能な前記グループ店情報を前記店舗端末（カードユニット２０，キオスク端末３０）又は前記情報端末（ＰＣ６，携帯電話７）に対して提供することを特徴とするポイント管理装置である。
【手続補正１３】
【補正対象書類名】明細書
【補正対象項目名】００１８
【補正方法】変更
【補正の内容】
【００１８】
さらに請求項１３に係る発明は、請求項８〜１２のいずれか１つに記載したポイント管理装置（５０）であって、前記店舗管理手段（グループＤＢ，店舗ＤＢ）は、前記店舗識別情報（店舗ＩＤ）に対応付けて、当該店舗識別情報の店舗の所在地を特定可能な情報（郵便番号）を管理し、前記グループ店情報提供手段（制御部５２）は、前記店舗管理手段において前記グループ識別情報（グループ名）に対応付けられている他の店舗識別情報の店舗を、前記受信した店舗情報要求（登録要求Ａ）に含まれる店舗特定情報（会員カードＩＤ）から特定される店舗の所在地から近い場所に所在する順で認識可能な前記グループ店情報を前記店舗端末（カードユニット２０，キオスク端末３０）又は前記情報端末（ＰＣ６，携帯電話７）に対して提供することを特徴とするポイント管理装置である。
【手続補正１４】
【補正対象書類名】明細書
【補正対象項目名】００１９
【補正方法】変更
【補正の内容】
【００１９】
まず請求項１に係るポイント管理システムによれば、ポイント管理装置において、会員が操作する店舗端末又は情報端末から受信した店舗情報要求に含まれる店舗特定情報から特定される店舗がグループに属する場合には、グループ店情報が店舗端末又は情報端末に対して提供されるので、当該グループに属する他のグループ店の存在を会員に認識させることができ、ポイント管理装置をグループ店での集客の向上に利用したいという店舗の要望に応えることができる。またポイント管理装置において、会員の所持する情報端末から第２登録要求が送信されてくると会員識別情報の登録が行われると共に、店舗に設置される店舗端末から第１登録要求が送信されてきても会員識別情報の登録が行われるので、情報端末を所有していない店舗会員や情報端末の操作が不得意な店舗会員であってもポイント会員として会員識別情報の登録が可能となり、すべての店舗会員に公平にポイント会員としての利益を享受する機会を与えることができる。
また請求項２に係るポイント管理システムによれば、会員から記録媒体を受け付けて当該会員に対してポイント数を表示する店舗端末から、該会員から記録媒体を受け付けたことにより第１登録要求が送信されてくると、ポイント管理装置において、会員識別情報の登録が行われるので、店舗の店員の手を煩わすことなく、ポイント会員としての会員識別情報の登録が可能となる。
【手続補正１５】
【補正対象書類名】明細書
【補正対象項目名】００２０
【補正方法】変更
【補正の内容】
【００２０】
また請求項３に係るポイント管理システムによれば、ポイント管理装置において、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【手続補正１６】
【補正対象書類名】明細書
【補正対象項目名】００２１
【補正方法】変更
【補正の内容】
【００２１】
また請求項４に係るポイント管理システムによれば、ポイント管理装置において、電子メールアドレスが登録されているポイント会員に対しては、通知情報が店舗端末に返信されないので、通知情報を既に電子メールで受け取っているポイント会員に対する該通知情報の無駄な重複送信が防止される。
【手続補正１７】
【補正対象書類名】明細書
【補正対象項目名】００２２
【補正方法】変更
【補正の内容】
【００２２】
また請求項５に係るポイント管理システムによれば、ポイント管理装置において、会員が会員登録した店舗のグループに属する他のグループ店のうち、該会員が希望する店舗の店舗情報を含む電子メールが、該会員の電子メールアドレスに対して送信されるので、会員の利便性が向上する。
【手続補正１８】
【補正対象書類名】明細書
【補正対象項目名】００２３
【補正方法】変更
【補正の内容】
【００２３】
また請求項６に係るポイント管理システムによれば、ポイント管理装置において、グループに属する店舗が多い場合であっても、会員が操作する店舗端末又は情報端末から受信した店舗情報要求に含まれる店舗特定情報から特定される店舗と同一地域に所在するグループ店を認識可能なグループ店情報が店舗端末又は情報端末に対して提供されるので、会員の利便性が向上する。
【手続補正１９】
【補正対象書類名】明細書
【補正対象項目名】００２４
【補正方法】変更
【補正の内容】
【００２４】
また請求項７に係るポイント管理システムによれば、ポイント管理装置において、グループに属する店舗が多い場合であっても、会員が操作する店舗端末又は情報端末から受信した店舗情報要求に含まれる店舗特定情報から特定される店舗の所在地から近い場所に所在する順にグループ店を認識可能なグループ店情報が店舗端末又は情報端末に対して提供されるので、会員の利便性が向上する。
【手続補正２０】
【補正対象書類名】明細書
【補正対象項目名】００２５
【補正方法】変更
【補正の内容】
【００２５】
また請求項８に係るポイント管理装置によれば、会員が操作する店舗端末又は情報端末から受信した店舗情報要求に含まれる店舗特定情報から特定される店舗がグループに属する場合には、グループ店情報が店舗端末又は情報端末に対して提供されるので、当該グループに属する他のグループ店の存在を会員に認識させることができ、ポイント管理装置をグループ店での集客の向上に利用したいという店舗の要望に応えることができる。また会員の所持する情報端末から第２登録要求が送信されてくると会員識別情報の登録が行われると共に、店舗に設置される店舗端末から第１登録要求が送信されてきても会員識別情報の登録が行われるので、情報端末を所有していない店舗会員や情報端末の操作が不得意な店舗会員であってもポイント会員として会員識別情報の登録が可能となり、すべての店舗会員に公平にポイント会員としての利益を享受する機会を与えることができる。
【手続補正２１】
【補正対象書類名】明細書
【補正対象項目名】００２６
【補正方法】変更
【補正の内容】
【００２６】
また請求項９に係るポイント管理装置によれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【手続補正２２】
【補正対象書類名】明細書
【補正対象項目名】００２７
【補正方法】変更
【補正の内容】
【００２７】
また請求項１０に係るポイント管理装置によれば、電子メールアドレスが登録されているポイント会員に対しては、通知情報が店舗端末に返信されないので、通知情報を既に電子メールで受け取っているポイント会員に対する該通知情報の無駄な重複送信が防止される。
【手続補正２３】
【補正対象書類名】明細書
【補正対象項目名】００２８
【補正方法】変更
【補正の内容】
【００２８】
また請求項１１に係るポイント管理装置によれば、会員が会員登録した店舗のグループに属する他のグループ店のうち、該会員が希望する店舗の店舗情報を含む電子メールが、該会員の電子メールアドレスに対して送信されるので、会員の利便性が向上する。
【手続補正２４】
【補正対象書類名】明細書
【補正対象項目名】００２９
【補正方法】変更
【補正の内容】
【００２９】
また請求項１２に係るポイント管理装置によれば、グループに属する店舗が多い場合であっても、会員が操作する店舗端末又は情報端末から受信した店舗情報要求に含まれる店舗特定情報から特定される店舗と同一地域に所在するグループ店を認識可能なグループ店情報が店舗端末又は情報端末に対して提供されるので、会員の利便性が向上する。
【手続補正２５】
【補正対象書類名】明細書
【補正対象項目名】００３０
【補正方法】変更
【補正の内容】
【００３０】
さらに請求項１３に係るポイント管理装置によれば、グループに属する店舗が多い場合であっても、会員が操作する店舗端末又は情報端末から受信した店舗情報要求に含まれる店舗特定情報から特定される店舗の所在地から近い場所に所在する順にグループ店を認識可能なグループ店情報が店舗端末又は情報端末に対して提供されるので、会員の利便性が向上する。